(57)【要約】【課題】本発明はフェールセーフ機能を有する双方向直流電力制御装置を開示した。【解決手段】作業箱を含み、前記作業箱の中には接続空間が設置され、前記接続空間の下端壁には双方向直流電力制御装置が固定接続され、前記双方向直流電力制御装置の左右両端には接続ワイヤが固定接続され、前記接続空間の中には接続機構が設置され、前記接続機構が接続柱を含み、前記接続柱の左右端面にはサポートボードが対称で固定接続され、前記接続柱の中には左右端壁が前記接続空間と連通する昇降空間が設置され、装置の構造が簡単で、操作が便利で、かすかのオーバーロードだけでは突然の電源オフにはならなく、スパークが発生したまたは設定温度を超えた時に直ちに電源オフし、オーバーロードのもとで作業し続けることを可能にさせると共に、故障が発生した後で迅速の保護処理を保証する。【選択図】図1
2020087901.tif 000002
【特許請求の範囲】
【請求項１】
作業箱を含み、前記作業箱の中には接続空間が設置され、前記接続空間の下端壁には双方向直流電力制御装置が固定接続され、前記双方向直流電力制御装置の左右両端には接続ワイヤが固定接続され、前記接続空間の中には接続機構が設置され、前記接続機構が接続柱を含み、前記接続柱の左右端面にはサポートボードが対称で固定接続され、前記接続柱の中には左右端壁が前記接続空間と連通する昇降空間が設置され、前記昇降空間の中には左右両端が前記昇降空間の左右端壁を貫通し且つ前記接続空間に位置する電気接続ブロックが設置され、前記昇降空間の下端壁の中には動力伝達空間が設置され、前記動力伝達空間の左右端壁の中には前記動力伝達空間から遠離する端壁が前記接続空間と連通する突出し空間が対称で設置され、前記昇降空間の上端壁の中には前記昇降空間と前記接続空間とを連通する貫通穴が設置され、前記昇降空間の中には上端が前記昇降空間の上端壁と前記貫通穴とを貫通し且つ前記接続空間の中に位置する昇降軸が設置され、前記昇降軸の上端にはトーションブロックが固定接続され、前記昇降軸の下端が前記電気接続ブロックの上下端面と、前記昇降空間の下端壁と、前記動力伝達空間の上端壁とを貫通し且つ前記動力伝達空間の中に位置し、前記貫通穴の円柱形の壁の中には内壁が前記貫通穴と連通するサポートリング溝が設置され、前記貫通孔の中に位置する前記昇降軸の軸体には外端が前記サポートリング溝の内壁を貫通し且つ前記サポートリング溝の中に位置するサポートリングブロックが固定接続され、前記昇降軸の下端にはラチェットが固定接続され、前記突出し空間の中には前記動力伝達空間から遠離する一端が前記突出し空間のうち前記動力伝達空間から遠離する端壁を貫通し且つ前記接続空間の中に位置する突出しブロックがスライドできるように接続され、前記突出しブロックのうち前記動力伝達空間に近接する端面には前記動力伝達空間に近接する一端が前記突出し空間のうち前記動力伝達空間に近接する端壁と固定接続される伸縮ばねが固定接続され、前記突出し空間の下端壁にはベルト軸が固定接続され、前記ベルト軸の軸体には第一プーリが固定接続され、前記第一プーリの下側には前記ベルト軸と固定接続されるカムが設置され、前記カムのうち前記動力伝達空間に近接する一端が前記動力伝達空間の端壁を貫通し且つ前記動力伝達空間の中に位置し、前記ラチェットの下側にはラチェット機構が設置され、前記動力伝達空間の下端壁の中には従動空間が設置され、前記ラチェット機構の下端には下端が前記動力伝達空間の下端壁を貫通し且つ前記従動空間の下端壁と回転できるように接続される従動軸が固定接続され、前記動力伝達空間の中に位置する前記従動軸には上下対称して第二プーリが固定接続され、且つ上側の前記第二プーリと前記動力伝達空間の左側の第一プーリとがベルトによって接続され、且つ下側の前記第二プーリと前記動力伝達空間の右側の前記第一プーリとがベルトによって接続され、前記従動空間の中に位置する前記従動軸の軸体には第一傘歯車が固定接続され、前記第一傘歯車の右端には第二傘歯車が噛合接続され、前記第二傘歯車の中心には動力伝達軸が固定接続され、前記従動空間の下端壁にはサポートブロックが固定接続され、前記動力伝達軸の右端が前記サポートブロックを貫通し且つ前記サポートブロックと軸受によって接続され、前記動力伝達軸の右端には第三傘歯車が固定接続され、前記第三傘歯車の後端には第四傘歯車が噛合接続され、前記第四傘歯車の中心には後端が前記従動空間の後端壁と回転できるように接続される駆動軸が固定接続され、前記第四傘歯車の前側には前記駆動軸と固定接続される駆動歯車が設置され、前記従動空間の下端壁の中にはレバー空間が設置され、前記レバー空間の下端壁の右側の中には液圧機構が設置され、前記レバー空間の下端壁の左側の中には上端壁が前記レバー空間と連通する移動空間が設置され、前記移動空間の右端壁の中には右端壁が前記接続空間と連通する気圧空間が設置され、前記移動空間の下端壁の中には推動空間が設置され、前記レバー空間の前後端壁の間にはレバーシャフトが固定接続され、前記レバーシャフトの軸体にはレバーが回転できるように接続され、前記移動空間の左端壁には移動ばねが固定接続され、前記移動ばねの右端には上端が前記移動空間の上端壁を貫通し且つ前記レバー空間の中に位置する押圧レバーが固定接続され、前記気圧空間の中には気圧ブロックがスライドできるように接続され、前記気圧ブロックの右側には前記気圧空間と固定接続される熱伝導ブロックが設置され、前記気圧ブロックの中には制御機構が設置され、前記気圧ブロックの左端面には左端が前記気圧空間の左端壁を貫通し且つ前記押圧レバーと固定接続される第一接続レバーが固定接続され、前記気圧ブロックの左端面の下側には左端が前記気圧空間の左端壁と固定接続される伸縮ばねが固定接続され、前記接続空間の上端壁にはセンサーが固定接続され、前記接続空間の下端壁の中には推動機構が設置され、前記双方向直流電力制御装置の右側には前記双方向直流電力制御装置を中心として対称で設置される前記接続機構が設置されることを特徴とするフェールセーフ機能を有する双方向直流電力制御装置。
【請求項２】
前記ラチェット機構はラチェットブロックを含み、前記ラチェットの下側にはラチェットブロックが設置され、前記ラチェットブロックの中には上端壁が前記動力伝達空間と連通するラチェット溝が設置され、前記昇降軸の下端が前記ラチェット溝の上端壁を貫通し且つ前記ラチェット溝の中に位置し、前記ラチェット溝の左右端壁の中には前記昇降軸に近接する端壁が前記ラチェット溝と連通するばね溝が対称で設置され、前記ばね溝のうち前記昇降軸から遠離する端壁には第一電磁石が固定接続され、前記第一電磁石のうち前記昇降軸に近接する端面にはラチェットばねが固定接続され、前記ラチェットばねのうち前記昇降軸に近接する端面には従動ブロックが固定接続され、前記従動ブロックのうち前記昇降軸に近接する一端が前記ばね溝のうち前記昇降軸に近接する端壁を貫通し且つ前記ラチェット溝の中に位置することを特徴とする請求項１に記載のフェールセーフ機能を有する双方向直流電力制御装置。
【請求項３】
前記液圧機構は第一液圧空間を含み、前記レバー空間の下端壁の右側の中には前記第一液圧空間が設置され、前記第一液圧空間の右端壁の中には第二液圧空間が設置され、前記第一液圧空間と前記第二液圧空間との間が液圧パイプによって連通され、前記第一液圧空間の中には第一液圧ボードが設置され、前記第一液圧ボードの上端面には上端が前記第一液圧空間の上端壁を貫通し且つ前記レバー空間の中に位置する第一液圧レバーが固定接続され、前記第一液圧レバーの上端にはプッシュブロックが固定接続され、前記第二液圧空間の中には第二液圧ボードがスライドできるように接続され、前記第二液圧ボードの上端面には上端が第二液圧空間の上端壁と、前記レバー空間の上下端壁とを貫通し且つ前記従動空間の中に位置する第二液圧レバーが固定接続され、前記第二液圧レバーの上端が前記駆動歯車と噛合接続され、その作用はレバーによってプッシュブロックの下降を実現し、これにより第二液圧レバーを連動させて上昇させ、これにより駆動歯車を連動させて回転させることを特徴とする請求項１に記載のフェールセーフ機能を有する双方向直流電力制御装置。
【請求項４】
前記制御機構は推動溝を含み、前記気圧ブロックの中には右端壁が前記気圧空間と連通する前記推動溝が設置され、前記推動溝の左端壁の中には右端壁が前記推動溝と連通するリミット空間が設置され、前記推動溝の中には推動ブロックがスライドできるように接続され、前記推動ブロックの左端面には左端がリミット空間の右端壁を貫通し且つ前記リミット空間の中に位置する推動レバーが固定接続され、前記推動レバーの左端の中には左端壁と、前記推動レバーの左端中心から遠離する端壁とが前記リミット空間と連通する回転溝が設置され、前記回転溝の前後端壁の間には回転軸が固定接続され、前記回転軸の軸体には回転レバーがトーションスプリング（付図には示しておらず）によって接続され、前記回転レバーのうち前記推動レバーの左端中心から遠離する一端が前記回転溝のうち前記推動レバーの中心から遠離する端壁を貫通し且つ前記リミット空間の中に位置し、前記リミット空間の前後端壁の間にはリミット軸が上下対称して固定接続され、前記リミット軸の軸体にはリミットボードが回転できるように接続され、前記推動レバーの下側のリミットボードとリミット軸との間がトーションスプリングによって接続され、前記推動ブロックの右端には右端が前記推動溝の右端壁を貫通し且つ前記熱伝導ブロックと固定接続される接続ばねが固定接続され、前記推動ブロックと前記推動レバーの重量だけでは接続ばねの曲がりに致しず、その作用は気圧が気圧ブロックを押し動かしている中、回転軸の軸体にある回転レバーが九十度を回転した時、推動ブロックと気圧ブロックとを分離させることを特徴とする請求項１に記載のフェールセーフ機能を有する双方向直流電力制御装置。
【請求項５】
前記推動機構は駆動空間を含み、前記接続空間の下端壁の中には前記駆動空間が設置され、前記駆動空間の上端壁には駆動モータが固定接続され、前記駆動モータの下端面には下端が前記駆動空間の下端壁と回転できるように接続される旋転軸が動力で接続され、前記旋転軸の軸体には第五傘歯車が固定接続され、前記第五傘歯車の左右両端には第六傘歯車が対称で噛合接続され、前記第六傘歯車の中心には前記旋転軸から遠離する一端が前記駆動空間の端壁と回転できるように接続される螺旋軸が固定接続され、前記螺旋軸の軸体には螺旋ブロックが固定接続され、前記螺旋ブロックの上端のうち前記旋転軸から遠離する端面には第二電磁石が植設され、前記駆動空間の上端壁の中には前記駆動空間と前記推動空間とを連通する接続溝が左右対称して設置され、前記推動空間の中にはスライドバーがスライドできるように接続され、前記スライドバーの下端が前記接続溝の上下端壁を貫通し且つ前記駆動空間の中に位置し、前記推動空間の中に位置する前記スライドバーのうち前記旋転軸に近接する端面には前記旋転軸に近接する一端が前記推動空間のうち前記旋転軸に近接する端壁を貫通し且つ前記気圧ブロックと固定接続される第二接続レバーが固定接続され、前記駆動空間の横断面が方形であり、前記螺旋ブロックの横断面が方形であることを特徴とする請求項１に記載のフェールセーフ機能を有する双方向直流電力制御装置。
【請求項６】
前記昇降軸と前記電気接続ブロックとの間が螺合接続されることを特徴とするフェールセーフ機能を有する双方向直流電力制御装置。
【発明の詳細な説明】
【技術分野】
【０００１】
本発明は電力保護分野に関し、具体的にはフェールセーフ機能を有する双方向直流電力制御装置のである。
【背景技術】
【０００２】
科学技術の発展や社会の進歩に伴って、電力機械の普及範囲が広がってきって、それに従って、回路のオーバーロードまたは故障を発生する頻度がだんだん高めており、現在に故障保護に関わる装置は大部分が敏感であり、オーバーロードする程度が高くないまたは許容範囲内にある時も直ちに電源オフになり、作業の進みにかなりを困難を致す。
【先行技術文献】
【特許文献】
【０００３】
【特許文献１】中国特許出願公開第102576997号明細書
【発明の概要】
【発明が解決しようとする課題】
【０００４】
本発明が解決する技術問題はフェールセーフ機能を有する双方向直流電力制御装置を提供し、上記した技術的問題を解決する。
【課題を解決するための手段】
【０００５】
本発明は下記の技術プランを通じて実現される：フェールセーフ機能を有する双方向直流電力制御装置であって、作業箱を含み、前記作業箱の中には接続空間が設置され、前記接続空間の下端壁には双方向直流電力制御装置が固定接続され、前記双方向直流電力制御装置の左右両端には接続ワイヤが固定接続され、前記接続空間の中には接続機構が設置され、前記接続機構が接続柱を含み、前記接続柱の左右端面にはサポートボードが対称で固定接続され、前記接続柱の中には左右端壁が前記接続空間と連通する昇降空間が設置され、前記昇降空間の中には左右両端が前記昇降空間の左右端壁を貫通し且つ前記接続空間に位置する電気接続ブロックが設置され、前記昇降空間の下端壁の中には動力伝達空間が設置され、前記動力伝達空間の左右端壁の中には前記動力伝達空間から遠離する端壁が前記接続空間と連通する突出し空間が対称で設置され、前記昇降空間の上端壁の中には前記昇降空間と前記接続空間とを連通する貫通穴が設置され、前記昇降空間の中には上端が前記昇降空間の上端壁と前記貫通穴とを貫通し且つ前記接続空間の中に位置する昇降軸が設置され、前記昇降軸の上端にはトーションブロックが固定接続され、前記昇降軸の下端が前記電気接続ブロックの上下端面と、前記昇降空間の下端壁と、前記動力伝達空間の上端壁とを貫通し且つ前記動力伝達空間の中に位置し、前記貫通穴の円柱形の壁の中には内壁が前記貫通穴と連通するサポートリング溝が設置され、前記貫通孔の中に位置する前記昇降軸の軸体には外端が前記サポートリング溝の内壁を貫通し且つ前記サポートリング溝の中に位置するサポートリングブロックが固定接続され、前記昇降軸の下端にはラチェットが固定接続され、前記突出し空間の中には前記動力伝達空間から遠離する一端が前記突出し空間のうち前記動力伝達空間から遠離する端壁を貫通し且つ前記接続空間の中に位置する突出しブロックがスライドできるように接続され、前記突出しブロックのうち前記動力伝達空間に近接する端面には前記動力伝達空間に近接する一端が前記突出し空間のうち前記動力伝達空間に近接する端壁と固定接続される伸縮ばねが固定接続され、前記突出し空間の下端壁にはベルト軸が固定接続され、前記ベルト軸の軸体には第一プーリが固定接続され、前記第一プーリの下側には前記ベルト軸と固定接続されるカムが設置され、前記カムのうち前記動力伝達空間に近接する一端が前記動力伝達空間の端壁を貫通し且つ前記動力伝達空間の中に位置し、前記ラチェットの下側にはラチェット機構が設置され、前記動力伝達空間の下端壁の中には従動空間が設置され、前記ラチェット機構の下端には下端が前記動力伝達空間の下端壁を貫通し且つ前記従動空間の下端壁と回転できるように接続される従動軸が固定接続され、前記動力伝達空間の中に位置する前記従動軸には上下対称して第二プーリが固定接続され、且つ上側の前記第二プーリと前記動力伝達空間の左側の第一プーリとがベルトによって接続され、且つ下側の前記第二プーリと前記動力伝達空間の右側の前記第一プーリとがベルトによって接続され、前記従動空間の中に位置する前記従動軸の軸体には第一傘歯車が固定接続され、前記第一傘歯車の右端には第二傘歯車が噛合接続され、前記第二傘歯車の中心には動力伝達軸が固定接続され、前記従動空間の下端壁にはサポートブロックが固定接続され、前記動力伝達軸の右端が前記サポートブロックを貫通し且つ前記サポートブロックと軸受によって接続され、前記動力伝達軸の右端には第三傘歯車が固定接続され、前記第三傘歯車の後端には第四傘歯車が噛合接続され、前記第四傘歯車の中心には後端が前記従動空間の後端壁と回転できるように接続される駆動軸が固定接続され、前記第四傘歯車の前側には前記駆動軸と固定接続される駆動歯車が設置され、前記従動空間の下端壁の中にはレバー空間が設置され、前記レバー空間の下端壁の右側の中には液圧機構が設置され、前記レバー空間の下端壁の左側の中には上端壁が前記レバー空間と連通する移動空間が設置され、前記移動空間の右端壁の中には右端壁が前記接続空間と連通する気圧空間が設置され、前記移動空間の下端壁の中には推動空間が設置され、前記レバー空間の前後端壁の間にはレバーシャフトが固定接続され、前記レバーシャフトの軸体にはレバーが回転できるように接続され、前記移動空間の左端壁には移動ばねが固定接続され、前記移動ばねの右端には上端が前記移動空間の上端壁を貫通し且つ前記レバー空間の中に位置する押圧レバーが固定接続され、前記気圧空間の中には気圧ブロックがスライドできるように接続され、前記気圧ブロックの右側には前記気圧空間と固定接続される熱伝導ブロックが設置され、前記気圧ブロックの中には制御機構が設置され、前記気圧ブロックの左端面には左端が前記気圧空間の左端壁を貫通し且つ前記押圧レバーと固定接続される第一接続レバーが固定接続され、前記気圧ブロックの左端面の下側には左端が前記気圧空間の左端壁と固定接続される伸縮ばねが固定接続され、前記接続空間の上端壁にはセンサーが固定接続され、前記接続空間の下端壁の中には推動機構が設置され、前記双方向直流電力制御装置の右側には前記双方向直流電力制御装置を中心として対称で設置される接続機構が設置される。
【０００６】
優選的には、前記ラチェット機構はラチェットブロックを含み、前記ラチェットの下側にはラチェットブロックが設置され、前記ラチェットブロックの中には上端壁が前記動力伝達空間と連通するラチェット溝が設置され、前記昇降軸の下端が前記ラチェット溝の上端壁を貫通し且つ前記ラチェット溝の中に位置し、前記ラチェット溝の左右端壁の中には前記昇降軸に近接する端壁が前記ラチェット溝と連通するばね溝が対称で設置され、前記ばね溝のうち前記昇降軸から遠離する端壁には第一電磁石が固定接続され、前記第一電磁石のうち前記昇降軸に近接する端面にはラチェットばねが固定接続され、前記ラチェットばねのうち前記昇降軸に近接する端面には従動ブロックが固定接続され、前記従動ブロックのうち前記昇降軸に近接する一端が前記ばね溝のうち前記昇降軸に近接する端壁を貫通し且つ前記ラチェット溝の中に位置する。
【０００７】
優選的には、前記液圧機構は第一液圧空間を含み、前記レバー空間の下端壁の右側の中には前記第一液圧空間が設置され、前記第一液圧空間の右端壁の中には第二液圧空間が設置され、前記第一液圧空間と前記第二液圧空間との間が液圧パイプによって連通され、前記第一液圧空間の中には第一液圧ボードが設置され、前記第一液圧ボードの上端面には上端が前記第一液圧空間の上端壁を貫通し且つ前記レバー空間の中に位置する第一液圧レバーが固定接続され、前記第一液圧レバーの上端にはプッシュブロックが固定接続され、前記第二液圧空間の中には第二液圧ボードがスライドできるように接続され、前記第二液圧ボードの上端面には上端が第二液圧空間の上端壁と、前記レバー空間の上下端壁とを貫通し且つ前記従動空間の中に位置する第二液圧レバーが固定接続され、前記第二液圧レバーの上端が前記駆動歯車と噛合接続され、その作用はレバーによってプッシュブロックの下降を実現し、これにより第二液圧レバーを連動させて上昇させ、これにより駆動歯車を連動させて回転させる。
【０００８】
優選的には、前記制御機構は推動溝を含み、前記気圧ブロックの中には右端壁が前記気圧空間と連通する前記推動溝が設置され、前記推動溝の左端壁の中には右端壁が前記推動溝と連通するリミット空間が設置され、前記推動溝の中には推動ブロックがスライドできるように接続され、前記推動ブロックの左端面には左端がリミット空間の右端壁を貫通し且つ前記リミット空間の中に位置する推動レバーが固定接続され、前記推動レバーの左端の中には左端壁と、前記推動レバーの左端中心から遠離する端壁とが前記リミット空間と連通する回転溝が設置され、前記回転溝の前後端壁の間には回転軸が固定接続され、前記回転軸の軸体には回転レバーがトーションスプリング（付図には示しておらず）によって接続され、前記回転レバーのうち前記推動レバーの左端中心から遠離する一端が前記回転溝のうち前記推動レバーの中心から遠離する端壁を貫通し且つ前記リミット空間の中に位置し、前記リミット空間の前後端壁の間にはリミット軸が上下対称して固定接続され、前記リミット軸の軸体にはリミットボードが回転できるように接続され、前記推動レバーの下側のリミットボードとリミット軸との間がトーションスプリングによって接続され、前記推動ブロックの右端には右端が前記推動溝の右端壁を貫通し且つ前記熱伝導ブロックと固定接続される接続ばねが固定接続され、前記推動ブロックと前記推動レバーの重量だけでは接続ばねの曲がりに致しなく、その作用は気圧が気圧ブロックを押し動かしている中、回転軸の軸体にある回転レバーが九十度を回転した時、推動ブロックと気圧ブロックとを分離させる。
【０００９】
優選的には、前記推動機構は駆動空間を含み、前記接続空間の下端壁の中には前記駆動空間が設置され、前記駆動空間の上端壁には駆動モータが固定接続され、前記駆動モータの下端面には下端が前記駆動空間の下端壁と回転できるように接続される旋転軸が動力で接続され、前記旋転軸の軸体には第五傘歯車が固定接続され、前記第五傘歯車の左右両端には第六傘歯車が対称で噛合接続され、前記第六傘歯車の中心には前記旋転軸から遠離する一端が前記駆動空間の端壁と回転できるように接続される螺旋軸が固定接続され、前記螺旋軸の軸体には螺旋ブロックが固定接続され、前記螺旋ブロックの上端のうち前記旋転軸から遠離する端面には第二電磁石が植設され、前記駆動空間の上端壁の中には前記駆動空間と前記推動空間とを連通する接続溝が左右対称して設置され、前記推動空間の中にはスライドバーがスライドできるように接続され、前記スライドバーの下端が前記接続溝の上下端壁を貫通し且つ前記駆動空間の中に位置し、前記推動空間の中に位置する前記スライドバーのうち前記旋転軸に近接する端面には前記旋転軸に近接する一端が前記推動空間のうち前記旋転軸に近接する端壁を貫通し且つ前記気圧ブロックと固定接続される第二接続レバーが固定接続され、前記駆動空間の横断面が方形であり、前記螺旋ブロックの横断面が方形である。
【００１０】
優選的には、前記昇降軸と前記電気接続ブロックとの間が螺合接続される。
【発明の効果】
【００１１】
現在の技術と比べ、本発明の有益効果は：本発明は作動する中、トーションブロックを回転させ、これにより昇降軸を連動させて回転させ、これにより電気接続ブロックを連動させて下降させ、これにより電気接続ブロックによって接続ワイヤと外接続ワイヤとを接続させ、昇降軸の下端のラチェット機構の中の第一電磁石が作動するため、これにより従動ブロックをラチェットから離れさせ、ラチェットが空回転し、双方向直流電力制御装置のオーバーロードによって接続空間の中の温度が高まる時、熱伝導ブロックによって気圧ブロックと熱伝導ブロックとの間の気圧を上昇させ、これにより気圧ブロックを連動させて移動空間の方向へ運動させ、これにより接続ばねを伸長させ、移動ばねと伸縮ばねとが圧縮され、気圧ブロックの運動によって第一動力伝達レバーの伝動を通じて押圧レバーを連動させて双方向直流電力制御装置空遠離する方向へ運動させ、これによりレバーを連動させて回転させ、双方向直流電力制御装置のオーバーロード程度が高くなく且つ発生温度が設定値の範囲内に維持している時、接続ばねと気圧ブロックとの共同作用によって回転レバーが九十度を回転しなく、これにより気圧ブロックと推動ブロックとが分離していなく、これによりレバーとプッシュブロックとが接触してなく、これにより装置の一定程度のオーバーロードのもとでの接続を実現し、オーバーロードの程度が高くて温度が急激に高まっている時、気圧ブロックと熱伝導ブロックとの間の気体圧力を急激に増大させ、これにより気圧ブロックが熱伝導ブロックから遠隔する方向へ運動する時に回転レバーが九十度を回転し、これにより接続ばねの作用のもとで推動ブロックが原位置に復帰し、推動ブロックと気圧ブロックとが分離するため、これにより気圧ブロックが気圧の作用のもとで接続空間の中心から遠離する方向へ運動し、これによりレバーを連動させて回転角度を増大させ、これにより下へプッシュブロックを押し動かし、液圧機構によって第二液圧レバーを連動させて上昇させ、これにより駆動歯車を連動させて回転させ、これにより第四傘歯車と、駆動軸と、動力伝達軸と、第二傘歯車と第一傘歯車とを連動させて回転させ、これにより従動軸を連動させて回転させ、第一プーリと第二プーリの動力伝達によってベルト軸の回転を連動させて、これによりカムを連動させて回転させ、これにより突出しブロックを連動させて昇降軸から遠離する方向へ運動させ、これにより外接続ワイヤと接続ワイヤとを電気接続ブロックから遠離させ、突出しブロックが運動している時、従動軸の回転によってラチェット機構の回転を連動させ、これによりラチェットブロックの回転を連動させて、ラチェットと従動ブロックとの動力伝達によって昇降軸を連動させて逆方向へ回転させ、これにより電気接続ブロックを上昇させて外接続ワイヤと接続ワイヤから離れさせ、接続を切断し、双方向直流電力制御装置に故障が発生すると、スパークが発生し、センサーに発光信号が届いた時、駆動モータを運転させ、旋転軸と、第五傘歯車と、第六傘歯車と螺旋軸とを連動させて回転させ、これにより螺旋ブロックを連動させて駆動モータから遠離する方向へ運動させ、これによりスライドバーを連動させて駆動モータから遠離する方向へ運動させ、これにより気圧ブロックを連動させて上記した高温時の運動方式で運動させ、これにより再び電源オフになり、装置の構造が簡単で、操作が便利で、かすかのオーバーロードだけでは突然の電源オフにはならなく、スパークが発生したまたは設定温度を超えた時に直ちに電源オフし、オーバーロードのもとで作業し続けることを可能にさせると共に、故障が発生した後で迅速の保護処理を保証する。
【図面の簡単な説明】
【００１２】
【図１】図１は本発明のフェールセーフ機能を有する双方向直流電力制御装置の全体断面の正面構造図である。
【図２】図２は本発明のフェールセーフ機能を有する双方向直流電力制御装置における制御機構の全体断面の正面拡大構造図である。
【図３】図３は本発明のフェールセーフ機能を有する双方向直流電力制御装置における接続機構の局部断面の正面拡大構造図である。
【発明を実施するための形態】
【００１３】
下記に本発明の実施例の中の附図を交え、本発明の実施例の技術方案を明確にはっきり説明し、説明した実施例がただ本発明の一部分の実施例で、全部の実施例ではないである。本発明の実施例に基づいて、本領域の普通技術者が創造的な労働を払わないことを前提に得る全部のその他の実施例は本発明の保護範囲に所属する。
【００１４】
図1-3を参照し、本発明が提供する実施例は：フェールセーフ機能を有する双方向直流電力制御装置であって、作業箱１を含み、前記作業箱1の中には接続空間72が設置され、前記接続空間72の下端壁には双方向直流電力制御装置58が固定接続され、前記双方向直流電力制御装置58の左右両端には接続ワイヤ60が固定接続され、前記接続空間72の中には接続機構84が設置され、前記接続機構84が接続柱68を含み、前記接続柱68の左右端面にはサポートボード6が対称で固定接続され、前記接続柱68の中には左右端壁が前記接続空間72と連通する昇降空間62が設置され、前記昇降空間62の中には左右両端が前記昇降空間62の左右端壁を貫通し且つ前記接続空間72に位置する電気接続ブロック63が設置され、前記昇降空間62の下端壁の中には動力伝達空間85が設置され、前記動力伝達空間85の左右端壁の中には前記動力伝達空間85から遠離する端壁が前記接続空間72と連通する突出し空間3が対称で設置され、前記昇降空間62の上端壁の中には前記昇降空間62と前記接続空間72とを連通する貫通穴86が設置され、前記昇降空間62の中には上端が前記昇降空間62の上端壁と前記貫通穴86とを貫通し且つ前記接続空間62の中に位置する昇降軸64が設置され、前記昇降軸64の上端にはトーションブロック65が固定接続され、前記昇降軸64の下端が前記電気接続ブロック63の上下端面と、前記昇降空間62の下端壁と、前記動力伝達空間85の上端壁とを貫通し且つ前記動力伝達空間85の中に位置し、前記貫通穴86の円柱形の壁の中には内壁が前記貫通穴86と連通するサポートリング溝67が設置され、前記貫通孔86の中に位置する前記昇降軸64の軸体には外端が前記サポートリング溝67の内壁を貫通し且つ前記サポートリング溝67の中に位置するサポートリングブロック66が固定接続され、前記昇降軸64の下端にはラチェット50が固定接続され、前記突出し空間3の中には前記動力伝達空間85から遠離する一端が前記突出し空間3のうち前記動力伝達空間85から遠離する端壁を貫通し且つ前記接続空間72の中に位置する突出しブロック4がスライドできるように接続され、前記突出しブロック4のうち前記動力伝達空間85に近接する端面には前記動力伝達空間85に近接する一端が前記突出し空間3のうち前記動力伝達空間85に近接する端壁と固定接続される伸縮ばね2が固定接続され、前記突出し空間3の下端壁にはベルト軸52が固定接続され、前記ベルト軸52の軸体には第一プーリ53が固定接続され、前記第一プーリ53の下側には前記ベルト軸52と固定接続されるカム54が設置され、前記カム54のうち前記動力伝達空間85に近接する一端が前記動力伝達空間85の端壁を貫通し且つ前記動力伝達空間85の中に位置し、前記ラチェット50の下側にはラチェット機構88が設置され、前記動力伝達空間85の下端壁の中には従動空間38が設置され、前記ラチェット機構88の下端には下端が前記動力伝達空間85の下端壁を貫通し且つ前記従動空間38の下端壁と回転できるように接続される従動軸49が固定接続され、前記動力伝達空間85の中に位置する前記従動軸49には上下対称して第二プーリ46が固定接続され、且つ上側の前記第二プーリ46と前記動力伝達空間85の左側の第一プーリ53とがベルトによって接続され、且つ下側の前記第二プーリ46と前記動力伝達空間85の右側の前記第一プーリ53とがベルトによって接続され、前記従動空間38の中に位置する前記従動軸49の軸体には第一傘歯車41が固定接続され、前記第一傘歯車41の右端には第二傘歯車40が噛合接続され、前記第二傘歯車40の中心には動力伝達軸39が固定接続され、前記従動空間38の下端壁にはサポートブロック42が固定接続され、前記動力伝達軸39の右端が前記サポートブロック42を貫通し且つ前記サポートブロック42と軸受によって接続され、前記動力伝達軸39の右端には第三傘歯車55が固定接続され、前記第三傘歯車55の後端には第四傘歯車56が噛合接続され、前記第四傘歯車56の中心には後端が前記従動空間38の後端壁と回転できるように接続される駆動軸37が固定接続され、前記第四傘歯車56の前側には前記駆動軸37と固定接続される駆動歯車57が設置され、前記従動空間38の下端壁の中にはレバー空間87が設置され、前記レバー空間87の下端壁の右側の中には液圧機構47が設置され、前記レバー空間87の下端壁の左側の中には上端壁が前記レバー空間87と連通する移動空間9が設置され、前記移動空間9の右端壁の中には右端壁が前記接続空間72と連通する気圧空間20が設置され、前記移動空間9の下端壁の中には推動空間11が設置され、前記レバー空間87の前後端壁の間にはレバーシャフト35が固定接続され、前記レバーシャフト35の軸体にはレバー34が回転できるように接続され、前記移動空間9の左端壁には移動ばね74が固定接続され、前記移動ばね74の右端には上端が前記移動空間9の上端壁を貫通し且つ前記レバー空間87の中に位置する押圧レバー8が固定接続され、前記気圧空間20の中には気圧ブロック21がスライドできるように接続され、前記気圧ブロック21の右側には前記気圧空間20と固定接続される熱伝導ブロック23が設置され、前記気圧ブロック21の中には制御機構89が設置され、前記気圧ブロック21の左端面には左端が前記気圧空間20の左端壁を貫通し且つ前記押圧レバー8と固定接続される第一接続レバー10が固定接続され、前記気圧ブロック21の左端面の下側には左端が前記気圧空間20の左端壁と固定接続される伸縮ばね19が固定接続され、前記接続空間72の上端壁にはセンサー59が固定接続され、前記接続空間72の下端壁の中には推動機構73が設置され、前記双方向直流電力制御装置58の右側には前記双方向直流電力制御装置58を中心として対称で設置される接続機構84が設置される。
【００１５】
有益的には、前記ラチェット機構88はラチェットブロック51を含み、前記ラチェット50の下側にはラチェットブロック51が設置され、前記ラチェットブロック51の中には上端壁が前記動力伝達空間85と連通するラチェット溝48が設置され、前記昇降軸64の下端が前記ラチェット溝48の上端壁を貫通し且つ前記ラチェット溝48の中に位置し、前記ラチェット溝48の左右端壁の中には前記昇降軸64に近接する端壁が前記ラチェット溝48と連通するばね溝43が対称で設置され、前記ばね溝43のうち前記昇降軸64から遠離する端壁には第一電磁石92が固定接続され、前記第一電磁石92のうち前記昇降軸64に近接する端面にはラチェットばね44が固定接続され、前記ラチェットばね44のうち前記昇降軸64に近接する端面には従動ブロック45が固定接続され、前記従動ブロック45のうち前記昇降軸64に近接する一端が前記ばね溝43のうち前記昇降軸64に近接する端壁を貫通し且つ前記ラチェット溝48の中に位置する。
【００１６】
有益的には、前記液圧機構47は第一液圧空間30を含み、前記レバー空間87の下端壁の右側の中には前記第一液圧空間30が設置され、前記第一液圧空間30の右端壁の中には第二液圧空間28が設置され、前記第一液圧空間30と前記第二液圧空間28との間が液圧パイプ91によって連通され、前記第一液圧空間30の中には第一液圧ボード31が設置され、前記第一液圧ボード31の上端面には上端が前記第一液圧空間30の上端壁を貫通し且つ前記レバー空間87の中に位置する第一液圧レバー32が固定接続され、前記第一液圧レバー32の上端にはプッシュブロック7が固定接続され、前記第二液圧空間28の中には第二液圧ボード29がスライドできるように接続され、前記第二液圧ボード29の上端面には上端が第二液圧空間28の上端壁と、前記レバー空間87の上下端壁とを貫通し且つ前記従動空間38の中に位置する第二液圧レバー36が固定接続され、前記第二液圧レバー36の上端が前記駆動歯車57と噛合接続され、その作用はレバー34によってプッシュブロック7の下降を実現し、これにより第二液圧レバー36を連動させて上昇させ、これにより駆動歯車57を連動させて回転させる。
【００１７】
有益的には、前記制御機構89は推動溝82を含み、前記気圧ブロック21の中には右端壁が前記気圧空間20と連通する前記推動溝82が設置され、前記推動溝82の左端壁の中には右端壁が前記推動溝82と連通するリミット空間78が設置され、前記推動溝82の中には推動ブロック83がスライドできるように接続され、前記推動ブロック83の左端面には左端がリミット空間78の右端壁を貫通し且つ前記リミット空間78の中に位置する推動レバー75が固定接続され、前記推動レバー75の左端の中には左端壁と、前記推動レバー75の左端中心から遠離する端壁とが前記リミット空間78と連通する回転溝77が設置され、前記回転溝77の前後端壁の間には回転軸76が固定接続され、前記回転軸76の軸体には回転レバー79がトーションスプリング（付図には示しておらず）によって接続され、前記回転レバー79のうち前記推動レバー75の左端中心から遠離する一端が前記回転溝77のうち前記推動レバー75の中心から遠離する端壁を貫通し且つ前記リミット空間78の中に位置し、前記リミット空間78の前後端壁の間にはリミット軸81が上下対称して固定接続され、前記リミット軸81の軸体にはリミットボード80が回転できるように接続され、前記推動レバー75の下側のリミットボード80とリミット軸81との間がトーションスプリングによって接続され、前記推動ブロック83の右端には右端が前記推動溝82の右端壁を貫通し且つ前記熱伝導ブロック23と固定接続される接続ばね22が固定接続され、前記推動ブロック83と前記推動レバー75の重量だけでは接続ばね22の曲がりに致しず、その作用は気圧が気圧ブロック21を押し動かしている中、回転軸76の軸体にある回転レバーが九十度を回転した時、推動ブロック83と気圧ブロック21とを分離させる。
【００１８】
有益的には、前記推動機構73は駆動空間14を含み、前記接続空間72の下端壁の中には前記駆動空間14が設置され、前記駆動空間14の上端壁には駆動モータ27が固定接続され、前記駆動モータ27の下端面には下端が前記駆動空間14の下端壁と回転できるように接続される旋転軸26が動力で接続され、前記旋転軸26の軸体には第五傘歯車25が固定接続され、前記第五傘歯車25の左右両端には第六傘歯車24が対称で噛合接続され、前記第六傘歯車24の中心には前記旋転軸26から遠離する一端が前記駆動空間14の端壁と回転できるように接続される螺旋軸17が固定接続され、前記螺旋軸17の軸体には螺旋ブロック17が固定接続され、前記螺旋ブロック17の上端のうち前記旋転軸26から遠離する端面には第二電磁石16が植設され、前記駆動空間14の上端壁の中には前記駆動空間14と前記推動空間11とを連通する接続溝12が左右対称して設置され、前記推動空間11の中にはスライドバー15がスライドできるように接続され、前記スライドバー15の下端が前記接続溝12の上下端壁を貫通し且つ前記駆動空間14の中に位置し、前記推動空間11の中に位置する前記スライドバー15のうち前記旋転軸26に近接する端面には前記旋転軸26に近接する一端が前記推動空間11のうち前記旋転軸26に近接する端壁を貫通し且つ前記気圧ブロック21と固定接続される第二接続レバー18が固定接続され、前記駆動空間14の横断面が方形であり、前記螺旋ブロック17の横断面が方形である。
【００１９】
有益的には、前記昇降軸64と前記電気接続ブロック63との間が螺合接続される。
【００２０】
具体的な使用方式：本発明は作動する中、トーションブロック65を回転させ、これにより昇降軸64を連動させて回転させ、これにより電気接続ブロック63を連動させて下降させ、これにより電気接続ブロック63によって接続ワイヤ60と外接続ワイヤとを接続させ、昇降軸64の下端のラチェット機構88の中の第一電磁石92が作動するため、これにより従動ブロック45をラチェット48から離れさせ、ラチェット50が空回転し、双方向直流電力制御装置58のオーバーロードによって接続空間72の中の温度が高まる時、熱伝導ブロック23によって気圧ブロック21と熱伝導ブロック23との間の気圧を上昇させ、これにより気圧ブロック21を連動させて移動空間9の方向へ運動させ、これにより接続ばね22を伸長させ、移動ばね74と伸縮ばね19とが圧縮され、気圧ブロック21の運動によって第一動力伝達レバー10の伝動を通じて押圧レバー8を連動させて双方向直流電力制御装置58空遠離する方向へ運動させ、これによりレバー34を連動させて回転させ、双方向直流電力制御装置58のオーバーロード程度が高くなく且つ発生温度が設定値の範囲内に維持している時、接続ばね22と気圧ブロック21との共同作用によって回転レバー79が九十度を回転しなく、これにより気圧ブロック21と推動ブロック83とが分離していなく、これによりレバー34とプッシュブロック7とが接触してなく、これにより装置の一定程度のオーバーロードのもとでの接続を実現し、オーバーロードの程度が高くて温度が急激に高まっている時、気圧ブロック21と熱伝導ブロック23との間の気体圧力を急激に増大させ、これにより気圧ブロック21が熱伝導ブロック23から遠隔する方向へ運動する時に回転レバー79が九十度を回転し、これにより接続ばね22の作用のもとで推動ブロック83が原位置に復帰し、推動ブロック83と気圧ブロック21とが分離するため、これにより気圧ブロック21が気圧の作用のもとで接続空間72の中心から遠離する方向へ運動し、これによりレバー34を連動させて回転角度を増大させ、これにより下へプッシュブロック7を押し動かし、液圧機構47によって第二液圧レバー36を連動させて上昇させ、これにより駆動歯車57を連動させて回転させ、これにより第四傘歯車56と、駆動軸37と、動力伝達軸39と、第二傘歯車40と第一傘歯車51とを連動させて回転させ、これにより従動軸49を連動させて回転させ、第一プーリ53と第二プーリ46の動力伝達によってベルト軸52の回転を連動させて、これによりカム54を連動させて回転させ、これにより突出しブロック4を連動させて昇降軸64から遠離する方向へ運動させ、これにより外接続ワイヤと接続ワイヤ60とを電気接続ブロック63から遠離させ、突出しブロック4が運動している時、従動軸49の回転によってラチェット機構88の回転を連動させ、これによりラチェットブロック51の回転を連動させて、ラチェット50と従動ブロック45との動力伝達によって昇降軸64を連動させて逆方向へ回転させ、これにより電気接続ブロック63を上昇させて外接続ワイヤと接続ワイヤ60から離れさせ、接続を切断し、双方向直流電力制御装置58に故障が発生すると、スパークが発生し、センサー59に発光信号が届いた時、駆動モータ27を運転させ、旋転軸26と、第五傘歯車25と、第六傘歯車24と螺旋軸13とを連動させて回転させ、これにより螺旋ブロック17を連動させて駆動モータ27か���遠離する方向へ運動させ、これによりスライドバー15を連動させて駆動モータ27から遠離する方向へ運動させ、これにより気圧ブロック21を連動させて上記した高温時の運動方式で運動させ、これにより再び電源オフになり、装置の構造が簡単で、操作が便利で、かすかのオーバーロードだけでは突然の電源オフにはならなく、スパークが発生したまたは設定温度を超えた時に直ちに電源オフし、オーバーロードのもとで作業し続けることを可能にさせると共に、故障が発生した後で迅速の保護処理を保証する。
【００２１】
本分野の技術者にとって、本発明は上記の模範の実施例の細部に限らなく、本発明の意義また基本的な特徴から背離しない状況で、その他の具体的な形式で本発明を実現できる。だから、どこから見てもこの実施例を模範で制限性ではないことと見なして、本発明の範囲は添付の権利要求に限定され、権利要求の同等重要書類の意味と範囲に落ちる全部の変化を本発明に包括させる。権利要求の中の全ての附図マークを権利要求を制限することと見なしないである。
【図１】
2020087901.tif 000003
【図２】
2020087901.tif 000004
【図３】
2020087901.tif 000005
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
作業箱を含み、前記作業箱の中には接続空間が設置され、前記接続空間の下端壁には双方向直流電力制御装置が固定接続され、前記双方向直流電力制御装置の左右両端には接続ワイヤが固定接続され、前記接続空間の中には接続機構が設置され、前記接続機構が接続柱を含み、前記接続柱の左右端面にはサポートボードが対称で固定接続され、前記接続柱の中には左右端壁が前記接続空間と連通する昇降空間が設置され、前記昇降空間の中には左右両端が前記昇降空間の左右端壁を貫通し且つ前記接続空間に位置する電気接続ブロックが設置され、前記昇降空間の下端壁の中には動力伝達空間が設置され、前記動力伝達空間の左右端壁の中には前記動力伝達空間から遠離する端壁が前記接続空間と連通する突出し空間が対称で設置され、前記昇降空間の上端壁の中には前記昇降空間と前記接続空間とを連通する貫通穴が設置され、前記昇降空間の中には上端が前記昇降空間の上端壁と前記貫通穴とを貫通し且つ前記接続空間の中に位置する昇降軸が設置され、前記昇降軸の上端にはトーションブロックが固定接続され、前記昇降軸の下端が前記電気接続ブロックの上下端面と、前記昇降空間の下端壁と、前記動力伝達空間の上端壁とを貫通し且つ前記動力伝達空間の中に位置し、前記貫通穴の円柱形の壁の中には内壁が前記貫通穴と連通するサポートリング溝が設置され、前記貫通穴の中に位置する前記昇降軸の軸体には外端が前記サポートリング溝の内壁を貫通し且つ前記サポートリング溝の中に位置するサポートリングブロックが固定接続され、前記昇降軸の下端にはラチェットが固定接続され、前記突出し空間の中には前記動力伝達空間から遠離する一端が前記突出し空間のうち前記動力伝達空間から遠離する端壁を貫通し且つ前記接続空間の中に位置する突出しブロックがスライドできるように接続され、前記突出しブロックのうち前記動力伝達空間に近接する端面には前記動力伝達空間に近接する一端が前記突出し空間のうち前記動力伝達空間に近接する端壁と固定接続される伸縮ばねが固定接続され、前記突出し空間の下端壁にはベルト軸が固定接続され、前記ベルト軸の軸体には第一プーリが固定接続され、前記第一プーリの下側には前記ベルト軸と固定接続されるカムが設置され、前記カムのうち前記動力伝達空間に近接する一端が前記動力伝達空間の端壁を貫通し且つ前記動力伝達空間の中に位置し、前記ラチェットの下側にはラチェット機構が設置され、前記動力伝達空間の下端壁の中には従動空間が設置され、前記ラチェット機構の下端には下端が前記動力伝達空間の下端壁を貫通し且つ前記従動空間の下端壁と回転できるように接続される従動軸が固定接続され、前記動力伝達空間の中に位置する前記従動軸には上下対称して第二プーリが固定接続され、且つ上側の前記第二プーリと前記動力伝達空間の左側の第一プーリとがベルトによって接続され、且つ下側の前記第二プーリと前記動力伝達空間の右側の前記第一プーリとがベルトによって接続され、前記従動空間の中に位置する前記従動軸の軸体には第一傘歯車が固定接続され、前記第一傘歯車の右端には第二傘歯車が噛合接続され、前記第二傘歯車の中心には動力伝達軸が固定接続され、前記従動空間の下端壁にはサポートブロックが固定接続され、前記動力伝達軸の右端が前記サポートブロックを貫通し且つ前記サポートブロックと軸受によって接続され、前記動力伝達軸の右端には第三傘歯車が固定接続され、前記第三傘歯車の後端には第四傘歯車が噛合接続され、前記第四傘歯車の中心には後端が前記従動空間の後端壁と回転できるように接続される駆動軸が固定接続され、前記第四傘歯車の前側には前記駆動軸と固定接続される駆動歯車が設置され、前記従動空間の下端壁の中にはレバー空間が設置され、前記レバー空間の下端壁の右側の中には液圧機構が設置され、前記レバー空間の下端壁の左側の中には上端壁が前記レバー空間と連通する移動空間が設置され、前記移動空間の右端壁の中には右端壁が前記接続空間と連通する気圧空間が設置され、前記移動空間の下端壁の中には推動空間が設置され、前記レバー空間の前後端壁の間にはレバーシャフトが固定接続され、前記レバーシャフトの軸体にはレバーが回転できるように接続され、前記移動空間の左端壁には移動ばねが固定接続され、前記移動ばねの右端には上端が前記移動空間の上端壁を貫通し且つ前記レバー空間の中に位置する押圧レバーが固定接続され、前記気圧空間の中には気圧ブロックがスライドできるように接続され、前記気圧ブロックの右側には前記気圧空間と固定接続される熱伝導ブロックが設置され、前記気圧ブロックの中には制御機構が設置され、前記気圧ブロックの左端面には左端が前記気圧空間の左端壁を貫通し且つ前記押圧レバーと固定接続される第一接続レバーが固定接続され、前記気圧ブロックの左端面の下側には左端が前記気圧空間の左端壁と固定接続される伸縮ばねが固定接続され、前記接続空間の上端壁にはセンサーが固定接続され、前記接続空間の下端壁の中には推動機構が設置され、前記双方向直流電力制御装置の右側には前記双方向直流電力制御装置を中心として対称で設置される前記接続機構が設置されることを特徴とするフェールセーフ機能を有する双方向直流電力制御装置。 
【請求項２】
前記ラチェット機構はラチェットブロックを含み、前記ラチェットの下側にはラチェットブロックが設置され、前記ラチェットブロックの中には上端壁が前記動力伝達空間と連通するラチェット溝が設置され、前記昇降軸の下端が前記ラチェット溝の上端壁を貫通し且つ前記ラチェット溝の中に位置し、前記ラチェット溝の左右端壁の中には前記昇降軸に近接する端壁が前記ラチェット溝と連通するばね溝が対称で設置され、前記ばね溝のうち前記昇降軸から遠離する端壁には第一電磁石が固定接続され、前記第一電磁石のうち前記昇降軸に近接する端面にはラチェットばねが固定接続され、前記ラチェットばねのうち前記昇降軸に近接する端面には従動ブロックが固定接続され、前記従動ブロックのうち前記昇降軸に近接する一端が前記ばね溝のうち前記昇降軸に近接する端壁を貫通し且つ前記ラチェット溝の中に位置することを特徴とする請求項１に記載のフェールセーフ機能を有する双方向直流電力制御装置。 
【請求項３】
前記液圧機構は第一液圧空間を含み、前記レバー空間の下端壁の右側の中には前記第一液圧空間が設置され、前記第一液圧空間の右端壁の中には第二液圧空間が設置され、前記第一液圧空間と前記第二液圧空間との間が液圧パイプによって連通され、前記第一液圧空間の中には第一液圧ボードが設置され、前記第一液圧ボードの上端面には上端が前記第一液圧空間の上端壁を貫通し且つ前記レバー空間の中に位置する第一液圧レバーが固定接続され、前記第一液圧レバーの上端にはプッシュブロックが固定接続され、前記第二液圧空間の中には第二液圧ボードがスライドできるように接続され、前記第二液圧ボードの上端面には上端が第二液圧空間の上端壁と、前記レバー空間の上下端壁とを貫通し且つ前記従動空間の中に位置する第二液圧レバーが固定接続され、前記第二液圧レバーの上端が前記駆動歯車と噛合接続され、その作用はレバーによってプッシュブロックの下降を実現し、これにより第二液圧レバーを連動させて上昇させ、これにより駆動歯車を連動させて回転させることを特徴とする請求項１に記載のフェールセーフ機能を有する双方向直流電力制御装置。 
【請求項４】
前記制御機構は推動溝を含み、前記気圧ブロックの中には右端壁が前記気圧空間と連通する前記推動溝が設置され、前記推動溝の左端壁の中には右端壁が前記推動溝と連通するリミット空間が設置され、前記推動溝の中には推動ブロックがスライドできるように接続され、前記推動ブロックの左端面には左端がリミット空間の右端壁を貫通し且つ前記リミット空間の中に位置する推動レバーが固定接続され、前記推動レバーの左端の中には左端壁と、前記推動レバーの左端中心から遠離する端壁とが前記リミット空間と連通する回転溝が設置され、前記回転溝の前後端壁の間には回転軸が固定接続され、前記回転軸の軸体には回転レバーがトーションスプリング（付図には示しておらず）によって接続され、前記回転レバーのうち前記推動レバーの左端中心から遠離する一端が前記回転溝のうち前記推動レバーの中心から遠離する端壁を貫通し且つ前記リミット空間の中に位置し、前記リミット空間の前後端壁の間にはリミット軸が上下対称して固定接続され、前記リミット軸の軸体にはリミットボードが回転できるように接続され、前記推動レバーの下側のリミットボードとリミット軸との間がトーションスプリングによって接続され、前記推動ブロックの右端には右端が前記推動溝の右端壁を貫通し且つ前記熱伝導ブロックと固定接続される接続ばねが固定接続され、前記推動ブロックと前記推動レバーの重量だけでは接続ばねの曲がりに致しず、その作用は気圧が気圧ブロックを押し動かしている中、回転軸の軸体にある回転レバーが九十度を回転した時、推動ブロックと気圧ブロックとを分離させることを特徴とする請求項１に記載のフェールセーフ機能を有する双方向直流電力制御装置。 
【請求項５】
前記推動機構は駆動空間を含み、前記接続空間の下端壁の中には前記駆動空間が設置され、前記駆動空間の上端壁には駆動モータが固定接続され、前記駆動モータの下端面には下端が前記駆動空間の下端壁と回転できるように接続される旋転軸が動力で接続され、前記旋転軸の軸体には第五傘歯車が固定接続され、前記第五傘歯車の左右両端には第六傘歯車が対称で噛合接続され、前記第六傘歯車の中心には前記旋転軸から遠離する一端が前記駆動空間の端壁と回転できるように接続される螺旋軸が固定接続され、前記螺旋軸の軸体には螺旋ブロックが固定接続され、前記螺旋ブロックの上端のうち前記旋転軸から遠離する端面には第二電磁石が植設され、前記駆動空間の上端壁の中には前記駆動空間と前記推動空間とを連通する接続溝が左右対称して設置され、前記推動空間の中にはスライドバーがスライドできるように接続され、前記スライドバーの下端が前記接続溝の上下端壁を貫通し且つ前記駆動空間の中に位置し、前記推動空間の中に位置する前記スライドバーのうち前記旋転軸に近接する端面には前記旋転軸に近接する一端が前記推動空間のうち前記旋転軸に近接する端壁を貫通し且つ前記気圧ブロックと固定接続される第二接続レバーが固定接続され、前記駆動空間の横断面が方形であり、前記螺旋ブロックの横断面が方形であることを特徴とする請求項１に記載のフェールセーフ機能を有する双方向直流電力制御装置。
【請求項６】
前記昇降軸と前記電気接続ブロックとの間が螺合接続されることを特徴とする請求項１に記載のフェールセーフ機能を有する双方向直流電力制御装置。
【手続補正２】
【補正対象書類名】明細書
【補正対象項目名】全文
【補正方法】変更
【補正の内容】
【発明の詳細な説明】
【技術分野】
【０００１】
本発明は電力保護分野に関し、具体的にはフェールセーフ機能を有する双方向直流電力制御装置のである。 
【背景技術】
【０００２】
科学技術の発展や社会の進歩に伴って、電力機械の普及範囲が広がってきって、それに従って、回路のオーバーロードまたは故障を発生する頻度がだんだん高めており、現在に故障保護に関わる装置は大部分が敏感であり、オーバーロードする程度が高くないまたは許容範囲内にある時も直ちに電源オフになり、作業の進みにかなりを困難を致す。 
【先行技術文献】
【特許文献】
【０００３】
【特許文献１】中国特許出願公開第102576997号明細書
【発明の概要】
【発明が解決しようとする課題】
【０００４】
本発明が解決する技術問題はフェールセーフ機能を有する双方向直流電力制御装置を提供し、上記した技術的問題を解決する。 
【課題を解決するための手段】
【０００５】
本発明は下記の技術プランを通じて実現される：フェールセーフ機能を有する双方向直流電力制御装置であって、作業箱を含み、前記作業箱の中には接続空間が設置され、前記接続空間の下端壁には双方向直流電力制御装置が固定接続され、前記双方向直流電力制御装置の左右両端には接続ワイヤが固定接続され、前記接続空間の中には接続機構が設置され、前記接続機構が接続柱を含み、前記接続柱の左右端面にはサポートボードが対称で固定接続され、前記接続柱の中には左右端壁が前記接続空間と連通する昇降空間が設置され、前記昇降空間の中には左右両端が前記昇降空間の左右端壁を貫通し且つ前記接続空間に位置する電気接続ブロックが設置され、前記昇降空間の下端壁の中には動力伝達空間が設置され、前記動力伝達空間の左右端壁の中には前記動力伝達空間から遠離する端壁が前記接続空間と連通する突出し空間が対称で設置され、前記昇降空間の上端壁の中には前記昇降空間と前記接続空間とを連通する貫通穴が設置され、前記昇降空間の中には上端が前記昇降空間の上端壁と前記貫通穴とを貫通し且つ前記接続空間の中に位置する昇降軸が設置され、前記昇降軸の上端にはトーションブロックが固定接続され、前記昇降軸の下端が前記電気接続ブロックの上下端面と、前記昇降空間の下端壁と、前記動力伝達空間の上端壁とを貫通し且つ前記動力伝達空間の中に位置し、前記貫通穴の円柱形の壁の中には内壁が前記貫通穴と連通するサポートリング溝が設置され、前記貫通穴の中に位置する前記昇降軸の軸体には外端が前記サポートリング溝の内壁を貫通し且つ前記サポートリング溝の中に位置するサポートリングブロックが固定接続され、前記昇降軸の下端にはラチェットが固定接続され、前記突出し空間の中には前記動力伝達空間から遠離する一端が前記突出し空間のうち前記動力伝達空間から遠離する端壁を貫通し且つ前記接続空間の中に位置する突出しブロックがスライドできるように接続され、前記突出しブロックのうち前記動力伝達空間に近接する端面には前記動力伝達空間に近接する一端が前記突出し空間のうち前記動力伝達空間に近接する端壁と固定接続される伸縮ばねが固定接続され、前記突出し空間の下端壁にはベルト軸が固定接続され、前記ベルト軸の軸体には第一プーリが固定接続され、前記第一プーリの下側には前記ベルト軸と固定接続されるカムが設置され、前記カムのうち前記動力伝達空間に近接する一端が前記動力伝達空間の端壁を貫通し且つ前記動力伝達空間の中に位置し、前記ラチェットの下側にはラチェット機構が設置され、前記動力伝達空間の下端壁の中には従動空間が設置され、前記ラチェット機構の下端には下端が前記動力伝達空間の下端壁を貫通し且つ前記従動空間の下端壁と回転できるように接続される従動軸が固定接続され、前記動力伝達空間の中に位置する前記従動軸には上下対称して第二プーリが固定接続され、且つ上側の前記第二プーリと前記動力伝達空間の左側の第一プーリとがベルトによって接続され、且つ下側の前記第二プーリと前記動力伝達空間の右側の前記第一プーリとがベルトによって接続され、前記従動空間の中に位置する前記従動軸の軸体には第一傘歯車が固定接続され、前記第一傘歯車の右端には第二傘歯車が噛合接続され、前記第二傘歯車の中心には動力伝達軸が固定接続され、前記従動空間の下端壁にはサポートブロックが固定接続され、前記動力伝達軸の右端が前記サポートブロックを貫通し且つ前記サポートブロックと軸受によって接続され、前記動力伝達軸の右端には第三傘歯車が固定接続され、前記第三傘歯車の後端には第四傘歯車が噛合接続され、前記第四傘歯車の中心には後端が前記従動空間の後端壁と回転できるように接続される駆動軸が固定接続され、前記第四傘歯車の前側には前記駆動軸と固定接続される駆動歯車が設置され、前記従動空間の下端壁の中にはレバー空間が設置され、前記レバー空間の下端壁の右側の中には液圧機構が設置され、前記レバー空間の下端壁の左側の中には上端壁が前記レバー空間と連通する移動空間が設置され、前記移動空間の右端壁の中には右端壁が前記接続空間と連通する気圧空間が設置され、前記移動空間の下端壁の中には推動空間が設置され、前記レバー空間の前後端壁の間にはレバーシャフトが固定接続され、前記レバーシャフトの軸体にはレバーが回転できるように接続され、前記移動空間の左端壁には移動ばねが固定接続され、前記移動ばねの右端には上端が前記移動空間の上端壁を貫通し且つ前記レバー空間の中に位置する押圧レバーが固定接続され、前記気圧空間の中には気圧ブロックがスライドできるように接続され、前記気圧ブロックの右側には前記気圧空間と固定接続される熱伝導ブロックが設置され、前記気圧ブロックの中には制御機構が設置され、前記気圧ブロックの左端面には左端が前記気圧空間の左端壁を貫通し且つ前記押圧レバーと固定接続される第一接続レバーが固定接続され、前記気圧ブロックの左端面の下側には左端が前記気圧空間の左端壁と固定接続される伸縮ばねが固定接続され、前記接続空間の上端壁にはセンサーが固定接続され、前記接続空間の下端壁の中には推動機構が設置され、前記双方向直流電力制御装置の右側には前記双方向直流電力制御装置を中心として対称で設置される接続機構が設置される。 
【０００６】
優選的には、前記ラチェット機構はラチェットブロックを含み、前記ラチェットの下側にはラチェットブロックが設置され、前記ラチェットブロックの中には上端壁が前記動力伝達空間と連通するラチェット溝が設置され、前記昇降軸の下端が前記ラチェット溝の上端壁を貫通し且つ前記ラチェット溝の中に位置し、前記ラチェット溝の左右端壁の中には前記昇降軸に近接する端壁が前記ラチェット溝と連通するばね溝が対称で設置され、前記ばね溝のうち前記昇降軸から遠離する端壁には第一電磁石が固定接続され、前記第一電磁石のうち前記昇降軸に近接する端面にはラチェットばねが固定接続され、前記ラチェットばねのうち前記昇降軸に近接する端面には従動ブロックが固定接続され、前記従動ブロックのうち前記昇降軸に近接する一端が前記ばね溝のうち前記昇降軸に近接する端壁を貫通し且つ前記ラチェット溝の中に位置する。 
【０００７】
優選的には、前記液圧機構は第一液圧空間を含み、前記レバー空間の下端壁の右側の中には前記第一液圧空間が設置され、前記第一液圧空間の右端壁の中には第二液圧空間が設置され、前記第一液圧空間と前記第二液圧空間との間が液圧パイプによって連通され、前記第一液圧空間の中には第一液圧ボードが設置され、前記第一液圧ボードの上端面には上端が前記第一液圧空間の上端壁を貫通し且つ前記レバー空間の中に位置する第一液圧レバーが固定接続され、前記第一液圧レバーの上端にはプッシュブロックが固定接続され、前記第二液圧空間の中には第二液圧ボードがスライドできるように接続され、前記第二液圧ボードの上端面には上端が第二液圧空間の上端壁と、前記レバー空間の上下端壁とを貫通し且つ前記従動空間の中に位置する第二液圧レバーが固定接続され、前記第二液圧レバーの上端が前記駆動歯車と噛合接続され、その作用はレバーによってプッシュブロックの下降を実現し、これにより第二液圧レバーを連動させて上昇させ、これにより駆動歯車を連動させて回転させる。 
【０００８】
優選的には、前記制御機構は推動溝を含み、前記気圧ブロックの中には右端壁が前記気圧空間と連通する前記推動溝が設置され、前記推動溝の左端壁の中には右端壁が前記推動溝と連通するリミット空間が設置され、前記推動溝の中には推動ブロックがスライドできるように接続され、前記推動ブロックの左端面には左端がリミット空間の右端壁を貫通し且つ前記リミット空間の中に位置する推動レバーが固定接続され、前記推動レバーの左端の中には左端壁と、前記推動レバーの左端中心から遠離する端壁とが前記リミット空間と連通する回転溝が設置され、前記回転溝の前後端壁の間には回転軸が固定接続され、前記回転軸の軸体には回転レバーがトーションスプリング（付図には示しておらず）によって接続され、前記回転レバーのうち前記推動レバーの左端中心から遠離する一端が前記回転溝のうち前記推動レバーの中心から遠離する端壁を貫通し且つ前記リミット空間の中に位置し、前記リミット空間の前後端壁の間にはリミット軸が上下対称して固定接続され、前記リミット軸の軸体にはリミットボードが回転できるように接続され、前記推動レバーの下側のリミットボードとリミット軸との間がトーションスプリングによって接続され、前記推動ブロックの右端には右端が前記推動溝の右端壁を貫通し且つ前記熱伝導ブロックと固定接続される接続ばねが固定接続され、前記推動ブロックと前記推動レバーの重量だけでは接続ばねの曲がりに致しなく、その作用は気圧が気圧ブロックを押し動かしている中、回転軸の軸体にある回転レバーが九十度を回転した時、推動ブロックと気圧ブロックとを分離させる。 
【０００９】
優選的には、前記推動機構は駆動空間を含み、前記接続空間の下端壁の中には前記駆動空間が設置され、前記駆動空間の上端壁には駆動モータが固定接続され、前記駆動モータの下端面には下端が前記駆動空間の下端壁と回転できるように接続される旋転軸が動力で接続され、前記旋転軸の軸体には第五傘歯車が固定接続され、前記第五傘歯車の左右両端には第六傘歯車が対称で噛合接続され、前記第六傘歯車の中心には前記旋転軸から遠離する一端が前記駆動空間の端壁と回転できるように接続される螺旋軸が固定接続され、前記螺旋軸の軸体には螺旋ブロックが固定接続され、前記螺旋ブロックの上端のうち前記旋転軸から遠離する端面には第二電磁石が植設され、前記駆動空間の上端壁の中には前記駆動空間と前記推動空間とを連通する接続溝が左右対称して設置され、前記推動空間の中にはスライドバーがスライドできるように接続され、前記スライドバーの下端が前記接続溝の上下端壁を貫通し且つ前記駆動空間の中に位置し、前記推動空間の中に位置する前記スライドバーのうち前記旋転軸に近接する端面には前記旋転軸に近接する一端が前記推動空間のうち前記旋転軸に近接する端壁を貫通し且つ前記気圧ブロックと固定接続される第二接続レバーが固定接続され、前記駆動空間の横断面が方形であり、前記螺旋ブロックの横断面が方形である。 
【００１０】
優選的には、前記昇降軸と前記電気接続ブロックとの間が螺合接続される。 
【発明の効果】
【００１１】
現在の技術と比べ、本発明の有益効果は：本発明は作動する中、トーションブロックを回転させ、これにより昇降軸を連動させて回転させ、これにより電気接続ブロックを連動させて下降させ、これにより電気接続ブロックによって接続ワイヤと外接続ワイヤとを接続させ、昇降軸の下端のラチェット機構の中の第一電磁石が作動するため、これにより従動ブロックをラチェットから離れさせ、ラチェットが空回転し、双方向直流電力制御装置のオーバーロードによって接続空間の中の温度が高まる時、熱伝導ブロックによって気圧ブロックと熱伝導ブロックとの間の気圧を上昇させ、これにより気圧ブロックを連動させて移動空間の方向へ運動させ、これにより接続ばねを伸長させ、移動ばねと伸縮ばねとが圧縮され、気圧ブロックの運動によって第一動力伝達レバーの伝動を通じて押圧レバーを連動させて双方向直流電力制御装置空遠離する方向へ運動させ、これによりレバーを連動させて回転させ、双方向直流電力制御装置のオーバーロード程度が高くなく且つ発生温度が設定値の範囲内に維持している時、接続ばねと気圧ブロックとの共同作用によって回転レバーが九十度を回転しなく、これにより気圧ブロックと推動ブロックとが分離していなく、これによりレバーとプッシュブロックとが接触してなく、これにより装置の一定程度のオーバーロードのもとでの接続を実現し、オーバーロードの程度が高くて温度が急激に高まっている時、気圧ブロックと熱伝導ブロックとの間の気体圧力を急激に増大させ、これにより気圧ブロックが熱伝導ブロックから遠隔する方向へ運動する時に回転レバーが九十度を回転し、これにより接続ばねの作用のもとで推動ブロックが原位置に復帰し、推動ブロックと気圧ブロックとが分離するため、これにより気圧ブロックが気圧の作用のもとで接続空間の中心から遠離する方向へ運動し、これによりレバーを連動させて回転角度を増大させ、これにより下へプッシュブロックを押し動かし、液圧機構によって第二液圧レバーを連動させて上昇させ、これにより駆動歯車を連動させて回転させ、これにより第四傘歯車と、駆動軸と、動力伝達軸と、第二傘歯車と第一傘歯車とを連動させて回転させ、これにより従動軸を連動させて回転させ、第一プーリと第二プーリの動力伝達によってベルト軸の回転を連動させて、これによりカムを連動させて回転させ、これにより突出しブロックを連動させて昇降軸から遠離する方向へ運動させ、これにより外接続ワイヤと接続ワイヤとを電気接続ブロックから遠離させ、突出しブロックが運動している時、従動軸の回転によってラチェット機構の回転を連動させ、これによりラチェットブロックの回転を連動させて、ラチェットと従動ブロックとの動力伝達によって昇降軸を連動させて逆方向へ回転させ、これにより電気接続ブロックを上昇させて外接続ワイヤと接続ワイヤから離れさせ、接続を切断し、双方向直流電力制御装置に故障が発生すると、スパークが発生し、センサーに発光信号が届いた時、駆動モータを運転させ、旋転軸と、第五傘歯車と、第六傘歯車と螺旋軸とを連動させて回転させ、これにより螺旋ブロックを連動させて駆動モータから遠離する方向へ運動させ、これによりスライドバーを連動させて駆動モータから遠離する方向へ運動させ、これにより気圧ブロックを連動させて上記した高温時の運動方式で運動させ、これにより再び電源オフになり、装置の構造が簡単で、操作が便利で、かすかのオーバーロードだけでは突然の電源オフにはならなく、スパークが発生したまたは設定温度を超えた時に直ちに電源オフし、オーバーロードのもとで作業し続けることを可能にさせると共に、故障が発生した後で迅速の保護処理を保証する。 
【図面の簡単な説明】
【００１２】
【図１】図１は本発明のフェールセーフ機能を有する双方向直流電力制御装置の全体断面の正面構造図である。
【図２】図２は本発明のフェールセーフ機能を有する双方向直流電力制御装置における制御機構の全体断面の正面拡大構造図である。
【図３】図３は本発明のフェールセーフ機能を有する双方向直流電力制御装置における接続機構の局部断面の正面拡大構造図である。
【発明を実施するための形態】
【００１３】
下記に本発明の実施例の中の附図を交え、本発明の実施例の技術方案を明確にはっきり説明し、説明した実施例がただ本発明の一部分の実施例で、全部の実施例ではないである。本発明の実施例に基づいて、本領域の普通技術者が創造的な労働を払わないことを前提に得る全部のその他の実施例は本発明の保護範囲に所属する。 
【００１４】
図1-3を参照し、本発明が提供する実施例は：フェールセーフ機能を有する双方向直流電力制御装置であって、作業箱１を含み、前記作業箱1の中には接続空間72が設置され、前記接続空間72の下端壁には双方向直流電力制御装置58が固定接続され、前記双方向直流電力制御装置58の左右両端には接続ワイヤ60が固定接続され、前記接続空間72の中には接続機構84が設置され、前記接続機構84が接続柱68を含み、前記接続柱68の左右端面にはサポートボード6が対称で固定接続され、前記接続柱68の中には左右端壁が前記接続空間72と連通する昇降空間62が設置され、前記昇降空間62の中には左右両端が前記昇降空間62の左右端壁を貫通し且つ前記接続空間72に位置する電気接続ブロック63が設置され、前記昇降空間62の下端壁の中には動力伝達空間85が設置され、前記動力伝達空間85の左右端壁の中には前記動力伝達空間85から遠離する端壁が前記接続空間72と連通する突出し空間3が対称で設置され、前記昇降空間62の上端壁の中には前記昇降空間62と前記接続空間72とを連通する貫通穴86が設置され、前記昇降空間62の中には上端が前記昇降空間62の上端壁と前記貫通穴86とを貫通し且つ前記接続空間62の中に位置する昇降軸64が設置され、前記昇降軸64の上端にはトーションブロック65が固定接続され、前記昇降軸64の下端が前記電気接続ブロック63の上下端面と、前記昇降空間62の下端壁と、前記動力伝達空間85の上端壁とを貫通し且つ前記動力伝達空間85の中に位置し、前記貫通穴86の円柱形の壁の中には内壁が前記貫通穴86と連通するサポートリング溝67が設置され、前記貫通穴86の中に位置する前記昇降軸64の軸体には外端が前記サポートリング溝67の内壁を貫通し且つ前記サポートリング溝67の中に位置するサポートリングブロック66が固定接続され、前記昇降軸64の下端にはラチェット50が固定接続され、前記突出し空間3の中には前記動力伝達空間85から遠離する一端が前記突出し空間3のうち前記動力伝達空間85から遠離する端壁を貫通し且つ前記接続空間72の中に位置する突出しブロック4がスライドできるように接続され、前記突出しブロック4のうち前記動力伝達空間85に近接する端面には前記動力伝達空間85に近接する一端が前記突出し空間3のうち前記動力伝達空間85に近接する端壁と固定接続される伸縮ばね2が固定接続され、前記突出し空間3の下端壁にはベルト軸52が固定接続され、前記ベルト軸52の軸体には第一プーリ53が固定接続され、前記第一プーリ53の下側には前記ベルト軸52と固定接続されるカム54が設置され、前記カム54のうち前記動力伝達空間85に近接する一端が前記動力伝達空間85の端壁を貫通し且つ前記動力伝達空間85の中に位置し、前記ラチェット50の下側にはラチェット機構88が設置され、前記動力伝達空間85の下端壁の中には従動空間38が設置され、前記ラチェット機構88の下端には下端が前記動力伝達空間85の下端壁を貫通し且つ前記従動空間38の下端壁と回転できるように接続される従動軸49が固定接続され、前記動力伝達空間85の中に位置する前記従動軸49には上下対称して第二プーリ46が固定接続され、且つ上側の前記第二プーリ46と前記動力伝達空間85の左側の第一プーリ53とがベルトによって接続され、且つ下側の前記第二プーリ46と前記動力伝達空間85の右側の前記第一プーリ53とがベルトによって接続され、前記従動空間38の中に位置する前記従動軸49の軸体には第一傘歯車41が固定接続され、前記第一傘歯車41の右端には第二傘歯車40が噛合接続され、前記第二傘歯車40の中心には動力伝達軸39が固定接続され、前記従動空間38の下端壁にはサポートブロック42が固定接続され、前記動力伝達軸39の右端が前記サポートブロック42を貫通し且つ前記サポートブロック42と軸受によって接続され、前記動力伝達軸39の右端には第三傘歯車55が固定接続され、前記第三傘歯車55の後端には第四傘歯車56が噛合接続され、前記第四傘歯車56の中心には後端が前記従動空間38の後端壁と回転できるように接続される駆動軸37が固定接続され、前記第四傘歯車56の前側には前記駆動軸37と固定接続される駆動歯車57が設置され、前記従動空間38の下端壁の中にはレバー空間87が設置され、前記レバー空間87の下端壁の右側の中には液圧機構47が設置され、前記レバー空間87の下端壁の左側の中には上端壁が前記レバー空間87と連通する移動空間9が設置され、前記移動空間9の右端壁の中には右端壁が前記接続空間72と連通する気圧空間20が設置され、前記移動空間9の下端壁の中には推動空間11が設置され、前記レバー空間87の前後端壁の間にはレバーシャフト35が固定接続され、前記レバーシャフト35の軸体にはレバー34が回転できるように接続され、前記移動空間9の左端壁には移動ばね74が固定接続され、前記移動ばね74の右端には上端が前記移動空間9の上端壁を貫通し且つ前記レバー空間87の中に位置する押圧レバー8が固定接続され、前記気圧空間20の中には気圧ブロック21がスライドできるように接続され、前記気圧ブロック21の右側には前記気圧空間20と固定接続される熱伝導ブロック23が設置され、前記気圧ブロック21の中には制御機構89が設置され、前記気圧ブロック21の左端面には左端が前記気圧空間20の左端壁を貫通し且つ前記押圧レバー8と固定接続される第一接続レバー10が固定接続され、前記気圧ブロック21の左端面の下側には左端が前記気圧空間20の左端壁と固定接続される伸縮ばね19が固定接続され、前記接続空間72の上端壁にはセンサー59が固定接続され、前記接続空間72の下端壁の中には推動機構73が設置され、前記双方向直流電力制御装置58の右側には前記双方向直流電力制御装置58を中心として対称で設置される接続機構84が設置される。 
【００１５】
有益的には、前記ラチェット機構88はラチェットブロック51を含み、前記ラチェット50の下側にはラチェットブロック51が設置され、前記ラチェットブロック51の中には上端壁が前記動力伝達空間85と連通するラチェット溝48が設置され、前記昇降軸64の下端が前記ラチェット溝48の上端壁を貫通し且つ前記ラチェット溝48の中に位置し、前記ラチェット溝48の左右端壁の中には前記昇降軸64に近接する端壁が前記ラチェット溝48と連通するばね溝43が対称で設置され、前記ばね溝43のうち前記昇降軸64から遠離する端壁には第一電磁石92が固定接続され、前記第一電磁石92のうち前記昇降軸64に近接する端面にはラチェットばね44が固定接続され、前記ラチェットばね44のうち前記昇降軸64に近接する端面には従動ブロック45が固定接続され、前記従動ブロック45のうち前記昇降軸64に近接する一端が前記ばね溝43のうち前記昇降軸64に近接する端壁を貫通し且つ前記ラチェット溝48の中に位置する。 
【００１６】
有益的には、前記液圧機構47は第一液圧空間30を含み、前記レバー空間87の下端壁の右側の中には前記第一液圧空間30が設置され、前記第一液圧空間30の右端壁の中には第二液圧空間28が設置され、前記第一液圧空間30と前記第二液圧空間28との間が液圧パイプ91によって連通され、前記第一液圧空間30の中には第一液圧ボード31が設置され、前記第一液圧ボード31の上端面には上端が前記第一液圧空間30の上端壁を貫通し且つ前記レバー空間87の中に位置する第一液圧レバー32が固定接続され、前記第一液圧レバー32の上端にはプッシュブロック7が固定接続され、前記第二液圧空間28の中には第二液圧ボード29がスライドできるように接続され、前記第二液圧ボード29の上端面には上端が第二液圧空間28の上端壁と、前記レバー空間87の上下端壁とを貫通し且つ前記従動空間38の中に位置する第二液圧レバー36が固定接続され、前記第二液圧レバー36の上端が前記駆動歯車57と噛合接続され、その作用はレバー34によってプッシュブロック7の下降を実現し、これにより第二液圧レバー36を連動させて上昇させ、これにより駆動歯車57を連動させて回転させる。 
【００１７】
有益的には、前記制御機構89は推動溝82を含み、前記気圧ブロック21の中には右端壁が前記気圧空間20と連通する前記推動溝82が設置され、前記推動溝82の左端壁の中には右端壁が前記推動溝82と連通するリミット空間78が設置され、前記推動溝82の中には推動ブロック83がスライドできるように接続され、前記推動ブロック83の左端面には左端がリミット空間78の右端壁を貫通し且つ前記リミット空間78の中に位置する推動レバー75が固定接続され、前記推動レバー75の左端の中には左端壁と、前記推動レバー75の左端中心から遠離する端壁とが前記リミット空間78と連通する回転溝77が設置され、前記回転溝77の前後端壁の間には回転軸76が固定接続され、前記回転軸76の軸体には回転レバー79がトーションスプリング（付図には示しておらず）によって接続され、前記回転レバー79のうち前記推動レバー75の左端中心から遠離する一端が前記回転溝77のうち前記推動レバー75の中心から遠離する端壁を貫通し且つ前記リミット空間78の中に位置し、前記リミット空間78の前後端壁の間にはリミット軸81が上下対称して固定接続され、前記リミット軸81の軸体にはリミットボード80が回転できるように接続され、前記推動レバー75の下側のリミットボード80とリミット軸81との間がトーションスプリングによって接続され、前記推動ブロック83の右端には右端が前記推動溝82の右端壁を貫通し且つ前記熱伝導ブロック23と固定接続される接続ばね22が固定接続され、前記推動ブロック83と前記推動レバー75の重量だけでは接続ばね22の曲がりに致しず、その作用は気圧が気圧ブロック21を押し動かしている中、回転軸76の軸体にある回転レバーが九十度を回転した時、推動ブロック83と気圧ブロック21とを分離させる。 
【００１８】
有益的には、前記推動機構73は駆動空間14を含み、前記接続空間72の下端壁の中には前記駆動空間14が設置され、前記駆動空間14の上端壁には駆動モータ27が固定接続され、前記駆動モータ27の下端面には下端が前記駆動空間14の下端壁と回転できるように接続される旋転軸26が動力で接続され、前記旋転軸26の軸体には第五傘歯車25が固定接続され、前記第五傘歯車25の左右両端には第六傘歯車24が対称で噛合接続され、前記第六傘歯車24の中心には前記旋転軸26から遠離する一端が前記駆動空間14の端壁と回転できるように接続される螺旋軸17が固定接続され、前記螺旋軸17の軸体には螺旋ブロック17が固定接続され、前記螺旋ブロック17の上端のうち前記旋転軸26から遠離する端面には第二電磁石16が植設され、前記駆動空間14の上端壁の中には前記駆動空間14と前記推動空間11とを連通する接続溝12が左右対称して設置され、前記推動空間11の中にはスライドバー15がスライドできるように接続され、前記スライドバー15の下端が前記接続溝12の上下端壁を貫通し且つ前記駆動空間14の中に位置し、前記推動空間11の中に位置する前記スライドバー15のうち前記旋転軸26に近接する端面には前記旋転軸26に近接する一端が前記推動空間11のうち前記旋転軸26に近接する端壁を貫通し且つ前記気圧ブロック21と固定接続される第二接続レバー18が固定接続され、前記駆動空間14の横断面が方形であり、前記螺旋ブロック17の横断面が方形である。 
【００１９】
有益的には、前記昇降軸64と前記電気接続ブロック63との間が螺合接続される。 
【００２０】
具体的な使用方式：本発明は作動する中、トーションブロック65を回転させ、これにより昇降軸64を連動させて回転させ、これにより電気接続ブロック63を連動させて下降させ、これにより電気接続ブロック63によって接続ワイヤ60と外接続ワイヤとを接続させ、昇降軸64の下端のラチェット機構88の中の第一電磁石92が作動するため、これにより従動ブロック45をラチェット48から離れさせ、ラチェット50が空回転し、双方向直流電力制御装置58のオーバーロードによって接続空間72の中の温度が高まる時、熱伝導ブロック23によって気圧ブロック21と熱伝導ブロック23との間の気圧を上昇させ、これにより気圧ブロック21を連動させて移動空間9の方向へ運動させ、これにより接続ばね22を伸長させ、移動ばね74と伸縮ばね19とが圧縮され、気圧ブロック21の運動によって第一動力伝達レバー10の伝動を通じて押圧レバー8を連動させて双方向直流電力制御装置58空遠離する方向へ運動させ、これによりレバー34を連動させて回転させ、双方向直流電力制御装置58のオーバーロード程度が高くなく且つ発生温度が設定値の範囲内に維持している時、接続ばね22と気圧ブロック21との共同作用によって回転レバー79が九十度を回転しなく、これにより気圧ブロック21と推動ブロック83とが分離していなく、これによりレバー34とプッシュブロック7とが接触してなく、これにより装置の一定程度のオーバーロードのもとでの接続を実現し、オーバーロードの程度が高くて温度が急激に高まっている時、気圧ブロック21と熱伝導ブロック23との間の気体圧力を急激に増大させ、これにより気圧ブロック21が熱伝導ブロック23から遠隔する方向へ運動する時に回転レバー79が九十度を回転し、これにより接続ばね22の作用のもとで推動ブロック83が原位置に復帰し、推動ブロック83と気圧ブロック21とが分離するため、これにより気圧ブロック21が気圧の作用のもとで接続空間72の中心から遠離する方向へ運動し、これによりレバー34を連動させて回転角度を増大させ、これにより下へプッシュブロック7を押し動かし、液圧機構47によって第二液圧レバー36を連動させて上昇させ、これにより駆動歯車57を連動させて回転させ、これにより第四傘歯車56と、駆動軸37と、動力伝達軸39と、第二傘歯車40と第一傘歯車51とを連動させて回転させ、これにより従動軸49を連動させて回転させ、第一プーリ53と第二プーリ46の動力伝達によってベルト軸52の回転を連動させて、これによりカム54を連動させて回転させ、これにより突出しブロック4を連動させて昇降軸64から遠離する方向へ運動させ、これにより外接続ワイヤと接続ワイヤ60とを電気接続ブロック63から遠離させ、突出しブロック4が運動している時、従動軸49の回転によってラチェット機構88の回転を連動させ、これによりラチェットブロック51の回転を連動させて、ラチェット50と従動ブロック45との動力伝達によって昇降軸64を連動させて逆方向へ回転させ、これにより電気接続ブロック63を上昇させて外接続ワイヤと接続ワイヤ60から離れさせ、接続を切断し、双方向直流電力制御装置58に故障が発生すると、スパークが発生し、センサー59に発光信号が届いた時、駆動モータ27を運転させ、旋転軸26と、第五傘歯車25と、第六傘歯車24と螺旋軸13とを連動させて回転させ、これにより螺旋ブロック17を連動させて駆動モータ27か���遠離する方向へ運動させ、これによりスライドバー15を連動させて駆動モータ27から遠離する方向へ運動させ、これにより気圧ブロック21を連動させて上記した高温時の運動方式で運動させ、これにより再び電源オフになり、装置の構造が簡単で、操作が便利で、かすかのオーバーロードだけでは突然の電源オフにはならなく、スパークが発生したまたは設定温度を超えた時に直ちに電源オフし、オーバーロードのもとで作業し続けることを可能にさせると共に、故障が発生した後で迅速の保護処理を保証する。 
【００２１】
本分野の技術者にとって、本発明は上記の模範の実施例の細部に限らなく、本発明の意義また基本的な特徴から背離しない状況で、その他の具体的な形式で本発明を実現できる。だから、どこから見てもこの実施例を模範で制限性ではないことと見なして、本発明の範囲は添付の権利要求に限定され、権利要求の同等重要書類の意味と範囲に落ちる全部の変化を本発明に包括させる。権利要求の中の全ての附図マークを権利要求を制限することと見なしないである。